(57)【要約】  印刷機及び印刷方法において、複数の給紙ユニット（Ｒ１〜Ｒ７）を有する給紙装置（Ｒ）と、複数の印刷ユニット（Ｕ１〜Ｕ６，Ｕ１１〜Ｕ６２）を有する印刷装置（Ｕ）と、ウェブパス装置（Ｄ）と、折機（Ｆ）とを有し、折機（Ｆ）に、ウェブ（Ｗ）を縦折した後に所定の長さに横裁断して横折りする第１折ライン（Ｗ１）と、ウェブ（Ｗ）を所定の長さに横裁断して横折りする第２折ライン（Ｗ２）とを設ける。
2016042647.tif 000002
【特許請求の範囲】
【請求項１】
ウェブを供給する複数の給紙ユニットを有する給紙装置と、
前記給紙装置から供給された前記ウェブに印刷を行う複数の印刷ユニットを有する印刷装置と、
印刷済の前記ウェブを幅方向における所定の位置で縦裁断した後に複数重ねて搬送するウェブパス装置と、
複数重ねて搬送された前記ウェブを所定の長さに裁断して折帖を形成する折機と、
を有し、
前記折機は、
前記ウェブを縦折した後に所定の長さに横裁断して横折りする第１折ラインと、
前記ウェブを所定の長さに横裁断して横折りする第２折ラインと、
を有する、
ことを特徴とする印刷機。
【請求項２】
前記第１折ラインは、前記ウェブを縦折する三角板及びリードインローラと、前記ウェブを横裁断する折胴及び鋸胴と、前記ウェブを横折りする一対の折込ローラとを有し、前記第２折ラインは、前記ウェブの搬送方向を変更するターンバーと、前記ウェブを搬送するガイドローラと、前記折胴及び前記鋸胴と、前記一対の折込ローラとを有することを特徴とする請求項１に記載の印刷機。
【請求項３】
前記ウェブパス装置は、前記ウェブの幅方向における所定の位置で縦裁断するスリッタを有し、前記折機は、縦裁断された２種類の前記ウェブをそれぞれ縦折する２個の三角板を有することを特徴とする請求項２に記載の印刷機。
【請求項４】
前記ターンバー及び前記ガイドローラは、搬送する前記ウェブの重ね数に応じて複数組設けられることを特徴とする請求項２に記載の印刷機。
【請求項５】
前記折込ローラにおける前記折帖の搬送方向の下流側にチョッパ折装置が配置され、前記チョッパ折装置は、前記第２折ラインを経由して搬送された前記折帖を縦折することを特徴とする請求項２から請求項４のいずれか一項に記載の印刷機。
【請求項６】
印刷が施された複数のウェブを重ねて搬送し、縦折して所定の長さに横裁断した後に横折りして折帖を形成する第１印刷ラインと、
印刷が施された複数のウェブを重ねて搬送し、所定の長さに横裁断した後に横折りして折帖を形成する第２印刷ラインとを有し、
形成する前記折帖の形態に応じて前記第１印刷ラインと前記第２印刷ラインとを選択的に使用する、
ことを特徴とする印刷方法。
【発明の詳細な説明】
【技術分野】
【０００１】
本発明は、例えば、新聞などの印刷物を印刷する印刷機及び印刷方法に関するものである。
【背景技術】
【０００２】
例えば、新聞用オフセット輪転印刷機は、複数の給紙ユニットを有する給紙装置と、複数の印刷ユニットを有する印刷装置と、ウェブパス装置と、複数の折ユニットを有する折機と、排紙装置とから構成されている。従って、給紙装置から各印刷ユニットにウェブが供給されると、各ウェブに対して各印刷ユニットにより印刷が施され、ウェブパス装置で多数のウェブの走行ルートが変更されてから所定の順番に重ね合わされた後、折機にて、ウェブが縦折りまたは縦裁断されてから所定の長さで横裁断され、横折りされることで折帖が形成され、印刷物（新聞）として排紙される。【０００３】
このように構成された新聞用オフセット輪転印刷機では、一般的に、新聞の４頁の幅を有するロール紙を使用している。印刷が実施されたロール紙は、ウェブパス装置にて、スリッタにより幅方向の中間位置で縦裁断されてから、ターンバーにより搬送経路が変更されて所定の順番に重ね合わされた後、折機に送られる。このとき、ロール紙は、スリッタにより幅方向の中間位置で縦裁断されることから、縦裁断後の左右のロール紙の幅は同じである。近年、新聞の大きさは、多種多様であり、同時に幅の異なる新聞を印刷したいという要望がある。【０００４】
このような従来の新聞用オフセット輪転印刷機としては、下記特許文献に記載されたものがある。特許文献１に記載された輪転印刷機は、印刷部を出たウェブを折部に導入する前にウェブ進行方向を変えるターンバーと、ウェブを折部に導く複数の三角板とを設け、ターンバーを選択あるいは位置調整することにより、多様な幅のウェブを複数の三角板に対して自在に位置決め可能としたものである。また、特許文献２に記載された輪転機は、紙を連続的に給紙する給紙部と、給紙部から給紙された紙に印刷を行う印刷部と、印刷部で印刷された紙を印刷物としての頒布形状にする折り部とを設け、使用する紙の幅の変更に対応して折り部で紙と接触する部材の位置を調整する位置調整機構を設けたものである。
【先行技術文献】
【特許文献】
【０００５】
【特許文献１】特開２００４−３３８８１４号公報
【特許文献２】特開２００９−２７９７９１号公報
【特許文献３】実開昭５９−１７６８４７号公報
【発明の概要】
【発明が解決しようとする課題】
【０００６】
ところが、特許文献１の輪転印刷機は、ターンバーを選択あるいは位置調整する必要があることから、輪転機の配置が給紙装置、印刷ユニット、ウエブパス部、折機が直交するような配置となり、印刷機自体が大型化してしまう。また、特許文献２の輪転機は、使用する紙の幅の変更に対応して折り部で紙と接触する部材の位置を調整することから、各フォーマの構造がニッピングローラの駆動系統が複雑になると共に、紙の幅を変更するとき、部材の変更に長時間を要してしまう。なお、特許文献３に、ウェブがドラグローラ、フォーマ、リーディングロール、ニップロールを通る経路と、ウェブがターンバー、ガイドロール、ニップロールを通る経路とを設けた折機が記載されている。しかし、この従来の折機は、三角板１枚を備えた単幅の輪転機であり、同時に二種類の折り方の違う印刷物は作成できるが、短時間で大量に、しかも、新聞などの複数の紙が重なった印刷物を製作することは困難である。【０００７】
本発明は、上述した課題を解決するものであり、通常の新聞サイズと異なる印刷物を印刷可能であると共に、構造の簡素化と作業性の向上を図る印刷機及び印刷方法を提供することを目的とする。
【課題を解決するための手段】
【０００８】
上記の目的を達成するための本発明の印刷機は、ウェブを供給する複数の給紙ユニットを有する給紙装置と、前記給紙装置から供給された前記ウェブに印刷を行う複数の印刷ユニットを有する印刷装置と、印刷済の前記ウェブを幅方向における所定の位置で縦裁断した後に複数重ねて搬送するウェブパス装置と、複数重ねて搬送された前記ウェブを所定の長さに裁断して折帖を形成する折機と、を有し、前記折機は、前記ウェブを縦折した後に所定の長さに横裁断して横折りする第１折ラインと、前記ウェブを所定の長さに横裁断して横折りする第２折ラインと、を有する、ことを特徴とするものである。【０００９】
従って、ウェブを第１折ラインに通すと、ウェブは、縦折された後に所定の長さに横裁断されて横折りされることで折帖が形成され、一方、ウェブを第２折ラインに通すと、ウェブは、縦折されずに所定の長さに横裁断されて横折りされることで折帖が形成される。そのため、形成したい折帖のサイズに応じて折ラインを選択することで、サイズの異なる印刷物を印刷することができ、また、既存の設備を変更せずに第２折ラインを増設すればよく、構造を簡素化することができると共に、作業性を向上することができる。【００１０】
本発明の印刷機では、前記第１折ラインは、前記ウェブを縦折する三角板及びリードインローラと、前記ウェブを横裁断する折胴及び鋸胴と、前記ウェブを横折りする一対の折込ローラとを有し、前記第２折ラインは、前記ウェブの搬送方向を変更するターンバーと、前記ウェブを搬送するガイドローラと、前記折胴及び前記鋸胴と、前記一対の折込ローラとを有することを特徴としている。【００１１】
従って、既存の設備に対して、ターンバーとガイドローラを増設すればよく、製造コストの大幅な増加を抑制することができる。【００１２】
本発明の印刷機では、前記ウェブパス装置は、前記ウェブの幅方向における所定の位置で縦裁断するスリッタを有し、前記折機は、縦裁断された２種類の前記ウェブをそれぞれ縦折する２個の三角板を有することを特徴としている。【００１３】
従って、印刷済のウェブは、スリッタにより縦裁断されない、または、スリッタにより幅方向における所定の位置で縦裁断され、その後、２種類のウェブがそれぞれ三角板を有する第１折ラインか、または、三角板のない第２折ラインに搬送されることとなり、同時に幅の異なる２種類の印刷物を印刷することができる。【００１４】
本発明の印刷機では、前記ターンバー及び前記ガイドローラは、搬送する前記ウェブの重ね数に応じて複数組設けられることを特徴としている。【００１５】
従って、ターンバー及びガイドローラは、搬送するウェブの重ね数に応じて複数組設けられることから、複数のウェブは、複数のターンバー及びガイドローラにより個別に搬送され、その後に重ねられることとなり、複数のウェブが搬送方向にずれのことなく高精度に重ね合わせることができ、折帖の品質を向上することができる。【００１６】
本発明の印刷機では、前記折込ローラにおける前記折帖の搬送方向の下流側にチョッパ折装置が配置され、前記チョッパ折装置は、前記第２折ラインを経由して搬送された前記折帖を縦折することを特徴としている。【００１７】
従って、折込ローラの下流側にチョッパ折装置を配置することで、ウェブが第２折ラインを搬送された場合であっても、横折りされた折帖をさらに縦折りすることができ、通常新聞サイズとは異なるサイズの新聞を製作することができる。【００１８】
本発明の印刷方法には、印刷が施された複数のウェブを重ねて搬送し、縦折して所定の長さに横裁断した後に横折りして折帖を形成する第１印刷ラインと、印刷が施された複数のウェブを重ねて搬送し、所定の長さに横裁断した後に横折りして折帖を形成する第２印刷ラインとを有し、形成する前記折帖の形態に応じて前記第１印刷ラインと前記第２印刷ラインとを選択的に使用する、ことを特徴とするものである。【００１９】
従って、形成したい折帖のサイズに応じて印刷ラインを選択することで、サイズの異なる印刷物を容易に印刷することができる。
【発明の効果】
【００２０】
本発明の印刷機及び印刷方法によれば、折機に、ウェブを縦折した後に所定の長さに横裁断して横折りする第１折ラインと、ウェブを所定の長さに横裁断して横折りする第２折ラインとを設けるので、サイズの異なる印刷物を印刷することができ、また、既存の設備を変更せずに第２折ラインを増設すればよく、構造を簡素化することができると共に、作業性を向上することができる。
【図面の簡単な説明】
【００２１】
【図１】図１は、第１実施形態の新聞用オフセット輪転印刷機を表す概略構成図である。
【図２】図２は、折機における三角板近傍を表す概略平面図である。
【図３】図３は、折ユニットを表す概略正面図である。
【図４】図４は、折胴と鋸胴を表す概略図である。
【図５】図５は、折ユニットを表す概略側面図である。
【図６】図６は、折ユニットを表す概略斜視図である。
【図７】図７は、第２折ラインを適用した折機における三角板近傍の概略平面図である。
【図８】図８は、第２折ラインを適用した折ユニットの概略斜視図である。
【図９】図９は、第２折ラインを適用した変形例を表す折機における三角板近傍の概略平面図である。
【図１０】図１０は、第２実施形態の新聞用オフセット輪転印刷機における折ユニットを表す概略正面図である。
【図１１】図１１は、折ユニットを表す概略側面図である。
【図１２】図１２は、第３実施形態の新聞用オフセット輪転印刷機における折ユニットを表す概略正面図である。
【発明を実施するための形態】
【００２２】
以下に添付図面を参照して、本発明に係る印刷機及び印刷方法の好適な実施形態を詳細に説明する。なお、この実施形態により本発明が限定されるものではなく、また、実施形態が複数ある場合には、各実施形態を組み合わせて構成するものも含むものである。
【００２３】
［第１実施形態］
図１は、第１実施形態の新聞用オフセット輪転印刷機を表す概略構成図である。
【００２４】
第１実施形態の印刷機は、図１に示すように、新聞用オフセット輪転印刷機であって、給紙装置Ｒと、インフィード装置Ｉと、印刷装置Ｕと、ウェブパス装置Ｄと、折機Ｆとから構成されている。給紙装置Ｒは、複数（実施形態１では、７台）の給紙ユニットＲ１〜Ｒ７を有し、インフィード装置Ｉは、複数（実施形態１では、７台）のインフィードユニットＩ１〜Ｉ７を有し、印刷装置Ｕは、複数（実施形態１では、６台）の印刷ユニットＵ１〜Ｕ６を有し、ウェブパス装置Ｄは、複数（実施形態１では、２台）のウェブパスユニットＤ１，Ｄ２を有し、折機Ｆは、複数（実施形態１では、２個）の折ユニットＦ１，Ｆ２を有している。
【００２５】
この場合、２つの折ユニットＦ１，Ｆ２を上下に並べて記載したが、実際には、紙面に直交する方向に並んで配置される操作側折ユニットＦ１と駆動側折ユニットＦ２となっている。更に、印刷装置Ｕを２つの部分から記載したが、機能上２つに分けて記載しただけであり、実際には、１つの装置となっている。
【００２６】
そして、この新聞用オフセット輪転印刷機では、図示しない建屋の１階の床面上に給紙ユニットＲ１〜Ｒ７が設置され、２階にインフィードユニットＩ１〜Ｉ７が設置され、２階及び３階に印刷ユニットＵ１〜Ｕ６が設置され、３階から５階にウェブパス装置Ｄが設置され、また、２階、３階に折機Ｆが設置されている。
【００２７】
給紙装置Ｒにおいて、給紙ユニットＲ１〜Ｒ７は、ほぼ同様の構成をなし、ウェブ（印刷媒体）Ｗがロール状に巻かれた３つの巻取紙を保持する保持アーム１１を有し、この保持アーム１１を回動することで、巻取紙を給紙位置に回動することができる。また、この各給紙ユニットＲ１〜Ｒ７には、図示しない紙継装置が設けられており、給紙位置で繰り出されている巻取紙が残り少なくなると、この紙継装置により給紙位置にある巻取紙に対して、待機位置にある巻取紙を紙継することができる。
【００２８】
インフィード装置Ｉにおいて、インフィードユニットＩ１〜Ｉ７は、ほぼ同様の構成をなし、印刷装置Ｕの各印刷ユニットＵ１〜Ｕ６に送り込むウェブＷのテンションを調整することで、印刷装置Ｕを走行するウェブＷのテンションを適正値に安定して維持するようにしている。例えば、各インフィードユニットＩ１〜Ｉ７は、インフィードローラ、紙押えゴムローラ、ダンサローラ、ガイドローラなどを有している。そして、ダンサローラをウェブＷの張り方向に付勢することでウェブＷのテンションを適正にし、このダンサローラの揺動に応じてインフィードローラの周速を変更し、ウェブＷの適正なテンションを維持している。
【００２９】
なお、給紙装置Ｒからインフィード装置ＩまでのウェブＷのテンションは、給紙ユニットＲ１〜Ｒ７に設けられた図示しないブレーキ装置により行っており、給紙装置Ｒに設けられたテンション検出ローラの検出結果に基づいて、このブレーキ装置を制御している。また、印刷装置Ｕの下流側には、駆動源により駆動回転可能なドラグローラ１２が設けられており、このドラグローラ１２の周速やダンサローラの付勢力を制御することで、ウェブＷのテンションを調整している。
【００３０】
印刷装置Ｕにおいて、印刷ユニットＵ１〜Ｕ６は、両面４色印刷を行うことができる多色刷印刷ユニットである。各印刷ユニットＵ１１〜Ｕ６２は、ほぼ同様の構成をなし、後述するが、インキ供給装置、版胴、ブランケット胴などを有している。本実施形態では、各印刷ユニットＵ１〜Ｕ６は、版胴に周方向に沿って印刷物としての新聞の１頁分に対応する刷版を装着可能であり、この版胴の周長（直径）に対して、ブランケット胴の周長（直径）が同じに設定されている。
【００３１】
なお、本実施形態では、印刷ユニットＵ１〜Ｕ６を、全て多色刷印刷ユニットにより構成したが、この構成に限定されるものではない。例えば、両面２色刷印刷ユニット、両面単色刷印刷ユニット、一面４色または単色刷印刷ユニットなど、印刷物に応じて適宜各種ユニットを組み合わせて使用すればよい。
【００３２】
ウェブパス装置Ｄにおいて、ウェブパスユニットＤ１は、印刷ユニットＵ１〜Ｕ３に対して設けられ、ウェブパスユニットＤ２は、印刷ユニットＵ４〜Ｕ６に対して設けられている。各ウェブパスユニットＤ１，Ｄ２は、ほぼ同様の構成をなし、ウェブＷを縦（ウェブＷの天地長手方向、ウェブＷの搬送方向）に沿ってその幅方向の中央部で裁断するスリッタ、縦裁断したウェブＷの搬送経路を設定するターンバー、ウェブＷにおける天地長手方向における搬送位置を調整するコンペンセータなどを有している。
【００３３】
即ち、各印刷ユニットＵ１〜Ｕ３で印刷が施された各ウェブＷは、ウェブパスユニットＤ１にて、スリッタにより縦裁断され、ターンバーにより搬送経路が変更され、コンペンセータにより搬送位置が調整されてから所定の順番に重ね合わされる。また、印刷ユニットＵ４〜Ｕ６で印刷が施された各ウェブＷは、ウェブパスユニットＤ２にて、スリッタにより縦裁断され、ターンバーにより搬送経路が変更され、コンペンセータにより搬送位置が調整されてから所定の順番に重ね合わされる。
【００３４】
折機Ｆにて、２つの折ユニットＦ１，Ｆ２は、操作側と駆動側に配設されている。即ち、ウェブパスユニットＤ１から複数のウェブＷが重ねられて導入されると、折ユニットＦ１は、ウェブＷ１を縦折りし、所定の長さで横裁断し、横折りして折帖を形成し、新聞として排紙することができる。また、ウェブパスユニットＤ２から複数のウェブＷが重ねられて導入されると、折ユニットＦ２は、ウェブＷ２を縦折りし、所定の長さで横裁断し、横折りして折帖を形成し、新聞として排紙することができる。この場合、折機Ｆでは、折ユニットＦ１，Ｆ２が各ウェブパスユニットＤ１，Ｄ２からのウェブＷ１，Ｗ２を処理するだけでなく、各折ユニットＦ１，Ｆ２の一方がまとめて処理することもできる。
【００３５】
従って、新聞用オフセット輪転印刷機では、給紙装置Ｒの各給紙ユニットＲ１〜Ｒ７からそれぞれ供給された各ウェブＷは、インフィード装置Ｉの各インフィードユニットＩ１〜Ｉ７によりテンションが調整され、印刷装置Ｕの各印刷ユニットＵ１〜Ｕ６に供給される。この印刷装置Ｕにおける各印刷ユニットＵ１〜Ｕ６にて、各ウェブＷの両面に印刷が施される。そして、各印刷ユニットＵ１〜Ｕ３で印刷が施された各ウェブＷは、ウェブパスユニットＤ１にて、スリッタにより縦裁断され、ターンバーにより搬送経路が変更され、コンペンセータにより搬送位置が調整されてから所定の順番に重ね合わされる。また、印刷ユニットＵ４〜Ｕ６で印刷が施された各ウェブＷは、ウェブパスユニットＤ２にて、スリッタにより縦裁断され、ターンバーにより搬送経路が変更され、コンペンセータにより搬送位置が調整されてから所定の順番に重ね合わされる。
【００３６】
その後、折機Ｆでは、ウェブパスユニットＤ１から複数のウェブＷ１が重ねられて導入されると、折ユニットＦ１は、ウェブＷ１を縦折りし、所定の長さで横裁断し、横折りして折帖を形成し、新聞として排紙する。また、ウェブパスユニットＤ２から複数のウェブＷ２が重ねられて導入されると、折ユニットＦ２は、ウェブＷ２を縦折りし、所定の長さで横裁断し、横折りして折帖を形成し、新聞として排紙する。
【００３７】
ここで、折機Ｆ及び一方の折ユニットＦ１について詳細に説明する。図２は、折機における三角板近傍を表す概略平面図、図３は、折ユニットを表す概略正面図、図４は、折胴と鋸胴を表す概略図、図５は、折ユニットを表す概略側面図、図６は、折ユニットを表す概略斜視図、図７は、第２折ラインを適用した折機における三角板近傍の概略平面図、図８は、第２折ラインを適用した折ユニットの概略斜視図である。
【００３８】
図２に示すように、折機Ｆは、２つの折ユニットＦ１，Ｆ２を有し、各折ユニットＦ１，Ｆ２は、左右に並んで配置されている。ウェブパス装置Ｄの各ウェブパスユニットＤ１，Ｄ２は、ドラグローラ１３及びスリッタナイフ１４を有しており、折ユニットＦ１，Ｆ２は、ドラグローラ１３にスリッタナイフ１４を押し付けることでウェブＷを縦裁断し、縦裁断後のウェブＷを所定枚数だけ重ねた後、このウェブＷを縦折りし、所定の長さで横裁断し、横折りして折帖を形成することで新聞を製作することができるものである。
【００３９】
折ユニットＦ１において、図３に示すように、最上部に、上述したウェブパスユニットＤ１で所定の順番に重ねられたウェブＷを下方に搬入するドラグローラ２０，２１が設けられると共に、ウェブＷを縦折りする三角板２２が設けられている。三角板２２の下方に、ウェブＷを保持して搬送する折胴２３と、縦折りされたウェブＷを横裁断してシートＳの束を形成する鋸胴２４が対向して配設されている。そして、三角板２２と折胴２３及び鋸胴２４との間に、一対のリードインローラ２５、一対のニッピングローラ２６、ガイドローラ２７、一対のニッピングローラ２８が設けられている。
【００４０】
折胴２３は、図４に示すように、その周面に１８０度対向して針装置２９が設けられている。この各針装置２９は、ほぼ同様の構成をなし、折胴２３の軸方向に沿って設けられた針軸３０と、基端部がこの針軸３０に固定される針アーム３１と、この針アーム３１の先端部に固定された針３２とを有している。この針装置２９は、折胴２３の回転に連動して作動するものであり、折胴２３における所定の回転位置で、針アーム３１を介して針３２を外方に突出し、ウェブＷの走行方向における先端部を保持することができ、折胴２３における所定の位置で、針アーム３１を介して針３２を戻し、ウェブＷの先端部の保持を解除することができる。
【００４１】
また、折胴２３は、その周面に１８０度対向して針装置２９とほぼ同じ位置に鋸刃受３３が設けられており、この鋸刃受３３は、一般に、ゴム等の弾性体により構成されている。一方、鋸胴２４は、その周面に１８０度対向して鋸刃３４が鋸台３５に支持されて設けられている。この場合、折胴２３と鋸胴２４は、同じ周速で同期回転することで、一定周期で鋸刃３４と鋸刃受３３が互いに対向するように、その回転位相が一致されている。そのため、折胴２３と鋸胴２４が同期回転し、鋸刃３４と鋸刃受３３が対向して一致するときに、この鋸刃３４によりウェブＷを横裁断してシートＳを形成することができる。
【００４２】
更に、折胴２３は、その周面に１８０度対向して折ブレード３６が折軸３７に支持されて設けられており、折ブレード３６は、針装置２９とほぼ９０度位相がずれて位置している。この折ブレード３６は、後述するが、櫛刃形状をなすように構成され、先端部がガイドプレート３８から外方に突出可能となっている。そして、折ブレード３６は、折軸３７により折胴２３と同期して逆方向に回転可能であり、所定の位置で、折ブレード３６の先端部が折胴２３（ガイドプレート３８）の周面から外方に突出することで、鋸刃３４により裁断されたシートＳを折胴２３の周面から引き剥がすことができる。
【００４３】
なお、折胴２３は、２つの針装置２９、鋸刃受３３、折ブレード３６を有し、鋸胴２４は、２つの鋸刃３４を有しているが、折胴２３及び鋸胴２４の外径に応じて、それぞれ１つまたは３つ以上設けていてもよいものである。
【００４４】
図３及び図４に示すように、折胴２３は、下方に一対の折込ローラ３９ａ，３９ｂが折胴２３と同期回転可能に設けられており、折胴２３の下方で各折込ローラ３９ａ，３９ｂの両側に一対の紙ガイド４０が設けられている。この一対の折込ローラ３９ａ，３９ｂは、折ブレード３６により折胴２３の周面から引き剥がされたシートＳを挟持することで横折して折り目Ａａをつけて折帖Ａを形成することができる。このとき、一対の紙ガイド４０は、折帖Ａ（ウェブＷ）をガイドする。
【００４５】
折込ローラ３９ａ，３９ｂは、下方に羽根車４１が設けられると共に、この羽根車４１の下方に排紙コンベア４２が設けられている。羽根車４１は、周方向に複数の羽根４３を有しており、折込ローラ３９ａ，３９ｂに同期して回転することで、一対の折込ローラ３９ａ，３９ｂにより形成された折帖Ａを各羽根４３により順次受け取って排紙コンベア４２上に受け渡すことができる。
【００４６】
そのため、折ユニットＦ１に搬送されたウェブＷは、ドラグローラ２１により搬送され、三角板２２により縦折りが施された後、リードインローラ２５、ニッピングローラ２６、ガイドローラ２７、ニッピングローラ２８により折胴２３に送られる。
【００４７】
縦折りされたウェブＷが折胴２３に至ると、折胴２３における所定の位置で、針装置２９が作動して針３２を外方に突出することで、ウェブＷの先端部を突き刺して保持する。この状態で、折胴２３が回転し続けると、ウェブＷは折胴２３の周面に巻き付けられて保持される。そして、折胴２３における所定の位置で、鋸刃３４と鋸刃受３３が対向して一致すると、この鋸刃３４によりウェブＷが横裁断されてシートＳが形成される。続いて、針装置２９が作動して針３２を戻すことで、シートＳの先端部の保持を解除すると同時に、折ブレード３６が回動して先端部が折胴２３の周面から外方に突出し、シートＳを折胴２３の周面から引き剥がす。
【００４８】
すると、折胴２３の周面から突出したシートＳは、長手方向における中間部が折られ、一対の折込ローラ３９ａ，３９ｂにより挟持されることで、横折されて折帖Ａが形成される。そして、この折込ローラ３９ａ，３９ｂにより形成された折帖Ａは、羽根車４１の各羽根４３により順次受け取られ、排紙コンベア４２上に受け渡されて排紙される。
【００４９】
また、折ユニットＦ１において、図２及び図３、図５及び図７、図８に示すように、ドラグローラ２１の前方にターンバー５１が設けられると共に、ターンバー５１の側方に上部ガイドローラ５２及び下部ガイドローラ５３が設けられている。
【００５０】
即ち、本実施形態の折機Ｆにおける折ユニットＦ１は、ウェブＷを縦折した後に所定の長さに横裁断して横折りする第１折ラインＷ１と、ウェブＷを所定の長さに横裁断して横折りする第２折ラインＷ２とを有している。
【００５１】
第１折ラインＷ１は、ウェブＷを縦折する三角板２２及びリードインローラ２５と、ニッピングローラ２６と、ガイドローラ２７と、ニッピングローラ２８と、ウェブＷを横裁断する折胴２３及び鋸胴２４と、ウェブＷを横折りする一対の折込ローラ３９ａ，３９ｂとを有している。一方、第２折ラインＷ２は、ウェブＷの搬送方向を変更するターンバー５１と、ウェブＷを搬送する上部ガイドローラ５２及び下部ガイドローラ５３と、ニッピングローラ２８と、ウェブＷを横裁断する折胴２３及び鋸胴２４と、ウェブＷを横折りする一対の折込ローラ３９ａ，３９ｂとを有している。
【００５２】
ここで、複数のウェブＷは、それぞれ各ガイドローラ１９にガイドされた後、ドラグローラ２０，２１で重ねられた後、第１折ラインＷ１または第２折ラインＷ２に搬送される。そのため、ターンバー５１及び各ガイドローラ５２，５３は、複数重ねられたウェブＷを搬送可能となっている。
【００５３】
なお、ここでは、折ユニットＦ１について説明したが、図２に示すように、折ユニットＦ２は、ウェブＷを縦折した後に所定の長さに横裁断して横折りする第１折ラインだけを有している。即ち、第１折ラインとして、全てを図示しないが、ドラグローラ２０，２１、三角板２２及びリードインローラ２５と、ニッピングローラと、ガイドローラと、ニッピングローラと、折胴及び鋸胴と、一対の折込ローラとを有している。但し、折ユニットＦ２に、折ユニットＦ１と同様に、２個の折ラインを設けてもよい。
【００５４】
以下、第１実施形態の折ユニットＦ１によるシート折り畳み方法について説明する。なお、形成する折帖Ａの形態に応じて第１折ラインＷ１または第２折ラインＷ２を選択して使用するが、この場合、印刷開始前の紙通しのときに使用する折ラインＷ１，Ｗ２側にウェブＷを通すこととなる。
【００５５】
まず、折ユニットＦ１にて、第１折ラインＷ１を用いて新聞を印刷する場合について説明する。図２から図６に示すように、折ユニットＦ１にて、印刷された複数のウェブＷは、スリッタ１４により縦裁断され、それぞれ各ガイドローラ１９にガイドされ、ドラグローラ２０，２１で重ねられた後、第１折ラインＷ１に送り込まれる。複数重ねられたウェブＷは、各三角板２２により縦折りが施された後に折胴２３に送られる。縦折りされたウェブＷは、折胴２３の針装置２９により先端部が保持され、折胴２３の周面に巻き付けられて保持される。ウェブＷは、所定の位置で鋸刃３４により横裁断されてシートＳとなり、針装置２９により保持が解除されると同時に、折ブレード３６が外方に突出して引き剥がされる。すると、シートＳは、長手方向における中間部が折られて折り目Ａａが形成され、一対の折込ローラ３９ａ，３９ｂにより挟持されることで、横折されて折帖Ａが形成される。
【００５６】
次に、折ユニットＦ１にて、第２折ラインＷ２を用いて新聞を印刷する場合について説明する。図５、図７、図８に示すように、折ユニットＦ１にて、印刷された複数のウェブＷは、スリッタ１４により縦裁断されず、それぞれ各ガイドローラ１９にガイドされ、ドラグローラ２０，２１で重ねられた後、第２折ラインＷ２に送り込まれる。複数重ねられたウェブＷは、三角板２２により縦折りされずに、ターンバー５１により搬送方向が変更され、上部ガイドローラ５２及び下部ガイドローラ５３により案内され、折胴２３に送られる。このウェブＷは、折胴２３の針装置２９により先端部が保持され、折胴２３の周面に巻き付けられて保持される。ウェブＷは、所定の位置で鋸刃３４により横裁断されてシートＳとなり、針装置２９により保持が解除されると同時に、折ブレード３６が外方に突出して引き剥がされる。すると、シートＳは、長手方向における中間部が折られ、一対の折込ローラ３９ａ，３９ｂにより挟持されることで、横折されて折帖Ａが形成される。
【００５７】
ここで、第１折ラインＷ１と第２折ラインＷ２とで、ニッピングローラ２８と折胴２３及び鋸胴２４と折込ローラ３９ａ，３９ｂを兼用しているが、第１折ラインＷ１と第２折ラインＷ２とでは、処理するウェブＷ（シートＳ）の幅が相違する。そのため、ニッピングローラ２８と折胴２３及び鋸胴２４と折込ローラ３９ａ，３９ｂの幅（軸方向長さ）は、幅の大きいウェブＷの幅に対応した長さに設定されている。
【００５８】
第１折ラインＷ１を走行するウェブＷ（図２参照）と、第２折ラインＷ２を走行するウェブＷ（図７参照）は、その幅方向の中心位置が同じ位置となる。即ち、第２折ラインＷ２を搬送されるウェブＷの走行路は、ウェブＷの幅方向中央部が水平方向に併設された２個の三角板２２の中間部と、上下方向でほぼ同じ位置になるように設定されている。また、図５に示すように、第１折ラインＷ１を搬送される折帖ａと第２折ラインＷ２を搬送される折帖Ａは、折帖の端部（本実施形態では、袋側だが、ペラ側でもよい。）が折帖の幅方向で同じ位置を通るように設定されている。そのため、第１折ラインＷ１と第２折ラインＷ２は、ウェブパス部Ｗ１から三角板２２、折機２３内への搬送ラインが異なるが、折胴２３、鋸胴２４、羽根車４１を兼用可能となっている。
【００５９】
上述の説明では、第２折ラインＷ２を用いて新聞を印刷する場合、ウェブＷをスリッタ１４により縦裁断しなかったが、印刷する新聞のサイズに応じてウェブＷをスリッタ１４により縦裁断してもよい。図９は、第２折ラインを適用した変形例を表す折機における三角板近傍の概略平面図である。
【００６０】
図９に示すように、折ユニットＦ１にて、スリッタ１４を有するドラグローラ１３と、ドラグローラ２０との間に２個のターンバー５４，５５が設けられている。そのため、印刷された複数のウェブＷは、スリッタ１４により縦裁断され、一方のウェブＷ（図９の右側のウェブＷ）は、そのまま搬送されるが、他方のウェブＷ（図９の左側のウェブＷ）はターンバー５４により搬送方向が変更され、更に、ターンバー５５により搬送方向が変更される。すると、一方のウェブＷの搬送経路に他方のウェブＷが案内されて両者が重ねられる。そして、重ねられたウェブＷは、ドラグローラ２０，２１により第２折ラインＷ２に送り込まれる。複数重ねられたウェブＷは、前述と同様に、三角板２２により縦折りされずに、ターンバー５１により搬送方向が変更され、上部ガイドローラ５２及び下部ガイドローラ５３により案内され、折胴２３に送られる。
【００６１】
なお、上述の説明では、第２折ラインＷ２を用いて新聞を印刷する場合におけるウェブＷの幅を、第１折ラインＷ１を用いて新聞を印刷する場合におけるウェブＷの幅の半分として説明したが、第２折ラインＷ２を用いて新聞を印刷とき、第１折ラインＷ１を用いて新聞を印刷するときに説明した幅のウェブＷを使用することができる。即ち、ニッピングローラ２８、折胴２３、鋸胴２４、折込ローラ３９ａ，３９ｂに加えて、ターンバー５１，ガイドローラ５２，５３の幅（軸方向長さ）は、幅の大きいウェブＷの幅に対応した長さであり、ターンバー５４，５５の幅（軸方向長さ）は、幅の大きいウェブＷの幅の半分に対応した長さに設定されている。
【００６２】
このように第１実施形態の印刷機にあっては、複数の給紙ユニットＲ１〜Ｒ７を有する給紙装置Ｒと、複数の印刷ユニットＵ１〜Ｕ６，Ｕ１１〜Ｕ６２を有する印刷装置Ｕと、ウェブパス装置Ｄと、折機Ｆとを有し、折機Ｆに、ウェブＷを縦折した後に所定の長さに横裁断して横折りする第１折ラインＷ１と、ウェブＷを所定の長さに横裁断して横折りする第２折ラインＷ２とを設ける。
【００６３】
従って、ウェブＷを第１折ラインＷ１に通すと、ウェブＷは、縦折された後に所定の長さに横裁断されて横折りされることで折帖Ａが形成され、一方、ウェブＷを第２折ラインＷ２に通すと、ウェブＷは、縦折されずに所定の長さに横裁断されて横折りされることで折帖Ａが形成される。そのため、形成したい折帖Ａのサイズに応じて折ラインＷ１，Ｗ２を選択することで、通常の新聞のサイズと異なる印刷物を印刷することができ、また、既存の設備を変更せずに第２折ラインＷ２を増設すればよく、構造を簡素化することができると共に、作業性を向上することができる。
【００６４】
第１実施形態の印刷機では、第１折ラインＷ１は、ウェブＷを縦折する三角板２２及びリードインローラ２５と、ウェブＷを横裁断する折胴２３及び鋸胴２４と、ウェブＷを横折りする一対の折込ローラ３９ａ，３９ｂとを有し、第２折ラインＷ２は、ウェブＷの搬送方向を変更するターンバー５１と、ウェブＷを搬送するガイドローラ５２，５３と、折胴２３及び鋸胴２４と、一対の折込ローラ３９ａ，３９ｂとを有している。従って、既存の設備に対して、ターンバー５１とガイドローラ５２，５３を増設すればよく、製造コストの大幅な増加を抑制することができる。
【００６５】
第１実施形態の印刷機では、ウェブパス装置Ｄは、ウェブＷの幅方向における所定の位置で縦裁断するスリッタナイフ１４を有し、折機Ｆは、縦裁断された２種類のウェブＷをそれぞれ縦折する２個の三角板２２を有している。従って、印刷済のウェブＷは、スリッタナイフ１４により幅方向における所定の位置で縦裁断され、その後、２種類のウェブＷがそれぞれ三角板２２を有する第１折ラインＷ１か、または、三角板２２のない第２折ラインＷ２に搬送されることとなり、同時に幅の異なる２種類の印刷物を印刷することができる。
【００６６】
また、第１実施形態の印刷方法にあっては、印刷が施された複数のウェブＷを重ねて搬送し、縦折して所定の長さに横裁断した後に横折りして折帖Ａを形成する第１印刷ライン（第１折ラインＷ１）と、印刷が施された複数のウェブＷを重ねて搬送し、所定の長さに横裁断した後に横折りして折帖Ａを形成する第２印刷ライン（第２折ラインＷ２）とを設け、形成する折帖Ａの形態に応じて第１印刷ラインと第２印刷ラインとを選択的に使用する。従って、形成したい折帖Ａのサイズに応じて印刷ライン（折ラインＷ１，Ｗ２）を選択することで、通常の新聞のサイズと異なる印刷物を容易に印刷することができる。
【００６７】
［第２実施形態］
図１０は、第２実施形態の新聞用オフセット輪転印刷機における折ユニットを表す概略正面図、図１１は、折ユニットを表す概略側面図である。なお、上述した実施形態と同様の機能を有する部材には、同一の符号を付して詳細な説明は省略する。
【００６８】
第２実施形態において、図１０及び図１１に示すように、折ユニットＦ１は、ウェブＷを縦折した後に所定の長さに横裁断して横折りする第１折ラインＷ１と、ウェブＷを所定の長さに横裁断して横折りする第２折ラインＷ２とを有している。
【００６９】
第１折ラインＷ１は、ウェブＷを縦折する三角板２２及びリードインローラ２５と、ニッピングローラ２６と、ガイドローラ２７と、ニッピングローラ２８と、ウェブＷを横裁断する折胴２３及び鋸胴２４と、ウェブＷを横折りする一対の折込ローラ３９ａ，３９ｂとを有している。一方、第２折ラインＷ２は、ウェブＷの搬送方向を変更するターンバー５１（５１ａ，５１ｂ，５１ｃ，５１ｄ，５１ｅ）と、ウェブＷを搬送する上部ガイドローラ５２ａ，５２ｂ，５２ｃ，５２ｄ，５２ｅ及び下部ガイドローラ５３ａ，５３ｂ，５３ｃ，５３ｄ，５３ｅと、ニッピングローラ２８と、ウェブＷを横裁断する折胴２３及び鋸胴２４と、ウェブＷを横折りする一対の折込ローラ３９ａ，３９ｂとを有している。
【００７０】
ここで、ターンバー５１ａ，５１ｂ，５１ｃ，５１ｄ，５１ｅと上部ガイドローラ５２ａ，５２ｂ，５２ｃ，５２ｄ，５２ｅと下部ガイドローラ５３ａ，５３ｂ，５３ｃ，５３ｄ，５３ｅは、搬送するウェブＷの重ね数に応じて複数組設けられている。そのため、ターンバー５１ａ，５１ｂ，５１ｃ，５１ｄ，５１ｅと上部ガイドローラ５２ａ，５２ｂ，５２ｃ，５２ｄ，５２ｅと下部ガイドローラ５３ａ，５３ｂ，５３ｃ，５３ｄ，５３ｅは、複数のウェブＷを個別に搬送可能となっている。
【００７１】
即ち、複数のウェブＷは、それぞれ各ガイドローラ１９にガイドされた後、第１折ラインＷ１または第２折ラインＷ２に搬送される。このとき、第１折ラインＷ１におけるウェブＷの搬送経路は、第１実施形態と同様である。第２折ラインＷ２におけるウェブＷの搬送経路は、各ターンバー５１ａ，５１ｂ，５１ｃ，５１ｄ，５１ｅ、上部ガイドローラ５２ａ，５２ｂ，５２ｃ，５２ｄ，５２ｅ、下部ガイドローラ５３ａ，５３ｂ，５３ｃ，５３ｄ，５３ｅ、ニッピングローラ２８と、折胴２３及び鋸胴２４、折込ローラ３９ａ，３９ｂである。
【００７２】
そのため、折ユニットＦ１にて、第２折ラインＷ２を用いて新聞を印刷する場合、印刷された複数のウェブＷは、それぞれ各ガイドローラ１９にガイドされた後、各ターンバー５１ａ，５１ｂ，５１ｃ，５１ｄ，５１ｅにより個別に搬送方向が変更され、上部ガイドローラ５２ａ，５２ｂ，５２ｃ，５２ｄ，５２ｅ及び下部ガイドローラ５３ａ，５３ｂ，５３ｃ，５３ｄ，５３ｅにより案内され、ニッピングローラ２８により重ねられる。そして、折胴２３及び鋸刃２４により横裁断されてシートＳとなり、一対の折込ローラ３９ａ，３９ｂにより挟持されることで、横折されて折帖Ａが形成される。
【００７３】
このように第２実施形態の印刷機にあっては、折機Ｆに、ウェブＷを縦折した後に所定の長さに横裁断して横折りする第１折ラインＷ１と、ウェブＷを所定の長さに横裁断して横折りする第２折ラインＷ２とを設け、第２折ラインＷ２として、ターンバー５１ａ，５１ｂ，５１ｃ，５１ｄ，５１ｅと上部ガイドローラ５２ａ，５２ｂ，５２ｃ，５２ｄ，５２ｅと下部ガイドローラ５３ａ，５３ｂ，５３ｃ，５３ｄ，５３ｅを複数組設けられている。
【００７４】
従って、ウェブＷを第１折ラインＷ１に通すと、ウェブＷは、縦折された後に所定の長さに横裁断されて横折りされることで折帖Ａが形成され、一方、ウェブＷを第２折ラインＷ２に通すと、ウェブＷは、縦折されずに所定の長さに横裁断されて横折りされることで折帖Ａが形成される。そのため、形成したい折帖Ａのサイズに応じて折ラインＷ１，Ｗ２を選択することで、通常の新聞のサイズと異なる印刷物を印刷することができ、また、既存の設備を変更せずに第２折ラインＷ２を増設すればよく、構造を簡素化することができると共に、作業性を向上することができる。
【００７５】
また、第２折ラインＷ２にて、複数のウェブＷは、各ターンバー５１ａ，５１ｂ，５１ｃ，５１ｄ，５１ｅにより個別に搬送方向が変更され、上部ガイドローラ５２ａ，５２ｂ，５２ｃ，５２ｄ，５２ｅ及び下部ガイドローラ５３ａ，５３ｂ，５３ｃ，５３ｄ，５３ｅにより個別に案内され、ニッピングローラ２８で重ねられる。複数のウェブＷは、個別に搬送され、横裁断される直前で重ねられることとなり、複数のウェブＷが搬送方向にずれることなく高精度に重ね合わせることができ、折帖Ａの品質を向上することができる。
【００７６】
［第３実施形態］
図１２は、第３実施形態の新聞用オフセット輪転印刷機における折ユニットを表す概略正面図である。なお、上述した実施形態と同様の機能を有する部材には、同一の符号を付して詳細な説明は省略する。
【００７７】
第３実施形態において、図１２に示すように、折機Ｆは、折込ローラ３９ａ，３９ｂにおける折帖Ａの搬送方向の下流側にチョッパ折装置６０が配置されている。
【００７８】
このチョッパ折装置６０において、チョッパテーブル６１が水平に配設され、このチョッパテーブル６１の上方には、上搬送コンベア６２が配置されると共に、下搬送コンベア６３が配置されている。各搬送コンベア６２，６３は、無端の搬送ベルトと複数のガイドローラと駆動ローラとを有し、咥胴４５が解除した折帖Ｎを上下から挟持してチョッパテーブル６１上の所定の位置まで搬送することができる。
【００７９】
チョッパテーブル６１は、その所定の位置にスリット６４が形成されると共に、スリット６４より折帖Ｎの搬送方向の下流側に隣接してストッパ６５が設けられている。このストッパ６５は、搬送コンベア６２，６３により搬送される折帖Ｎの先端部が当接することで、そのチョッパ折り位置を規定するものである。スリット６４の上方には、ストッパ６５に当接した折帖Ｎの中央部に接触してスリット６４内に押し込むチョッパブレード６６が配設されており、図示しない駆動装置によりチョッパブレード６６を上下方向に沿って移動可能となっている。
【００８０】
そして、チョッパテーブル６１の下方には、スリット６４の下方に対向して、このスリット６４から下降した折帖Ｎをニップ圧により挟み込んで折り曲げる一対の折込ローラ６７が回転可能に設けられている。
【００８１】
第２折りラインＷ２で処理された折帖Ａは、三角板２２を通過していないことから、縦折りされていない。そのため、排紙コンベア４２によって搬送された折帖Ａは、このチョッパ折装置６０により縦折される。そのため、第２折ラインＷ２を選択した場合であっても、折込ローラ３９ａ，３９ｂで横折された後の折帖Ａをチョッパ折装置６０で縦折することで、ブロード版の新聞を製作することが可能になる。なお、この場合、折胴２４の幅(軸方向長さ)の許容範囲内であれば、通常新聞サイズと異なる任意のブロード版の新聞製作が可能となり、サイズのバリエーションを増やすことができるとともに、新聞サイズの変更にも容易に対応可能となる。
【００８２】
このように第３実施形態の印刷機にあっては、折込ローラ３９ａ，３９ｂにおける折帖Ａの搬送方向の下流側にチョッパ折装置６０を配置し、チョッパ折装置６０が第２折ラインＷ２を経由して搬送された折帖Ａを縦折するようにしている。ウェブＷが第２折ラインＷ２を搬送された場合であっても、横折りされた折帖Ａをさらに縦折りすることができ、通常新聞サイズとは異なるサイズの新聞を製作することができる。
【符号の説明】
【００８３】
Ｒ  給紙装置
Ｒ１〜Ｒ７  給紙ユニット
Ｉ  インフィード装置
Ｉ１〜Ｉ７  インフィードユニット
Ｕ  印刷装置
Ｕ１〜Ｕ６，Ｕ１１〜Ｕ６２  印刷ユニット
Ｄ  ウェブパス装置
Ｄ１，Ｄ２  ウェブパスユニット
Ｆ  折機
Ｆ１，Ｆ２  折ユニット
１２，１３  ドラグローラ
１４  スリッタナイフ
２０，２１  ドラグローラ
２２  三角板
２３  折胴
２４  鋸胴
２５  リードインローラ
２６  ニッピングローラ
２７  ガイドローラ
２８  ニッピングローラ
３９ａ，３９ｂ  折込ローラ
４１  羽根車
４２  排紙コンベア
５１，５１ａ，５１ｂ，５１ｃ，５１ｄ，５１ｅ，５４，５５  ターンバー
５２，５２ａ，５２ｂ，５２ｃ，５２ｄ，５２ｅ  上部ガイドローラ
５３，５３ａ，５３ｂ，５３ｃ，５３ｄ，５３ｅ  下部ガイドローラ
６０  チョッパ装置
Ｗ  ウェブ
Ｗ１  第１折ライン
Ｗ２  第２折ライン
Ｓ  シート
Ａ  折帖
【図１】
2016042647.tif 000003
【図２】
2016042647.tif 000004
【図３】
2016042647.tif 000005
【図４】
2016042647.tif 000006
【図５】
2016042647.tif 000007
【図６】
2016042647.tif 000008
【図７】
2016042647.tif 000009
【図８】
2016042647.tif 000010
【図９】
2016042647.tif 000011
【図１０】
2016042647.tif 000012
【図１１】
2016042647.tif 000013
【図１２】
2016042647.tif 000014
【国際調査報告】
2016042647.tif 000015
2016042647.tif 000016
2016042647.tif 000017
2016042647.tif 000018